(57)【要約】  １７ＰＰ  ＲＭＴＲランレングス制限された変調コードにより変調されたブルーレイディスク信号のような１次信号に埋め込まれたコピー防止信号のような２次信号を埋め込む、抽出する、伝達する及び表す、装置及び方法、記録担体及び信号。各フレームは、フレーム同期パターン、フレーム同期パターンに続くＤＣ制御ブロックを有する。各ＤＣ制御ブロックは、ＤＣ制御ビットを有する。２つの変調テーブルが使用される。２次信号の各ビットは、変調コード及びＤＣ制御アルゴリズムの制約に従う、フレーム同期信号の極性とＤＣ制御ビットの値との間の関係により表される。
2008517417.tif 000002
【特許請求の範囲】
【請求項１】
装置であって、１次チャネルの１次データビットストリームに、２次チャネルの２次信号を埋め込み、前記１次データビットストリームは、複数の記録フレームを有し、各記録フレームはフレーム同期で開始し次に複数のＤＣ制御ブロックが続き、各ＤＣ制御ブロックは複数の１次データビット及びＤＣ制御ビットを有し、及び埋め込まれた２次信号を有する前記１次データビットストリームは、特に１７ＰＰ変調符号器により第１又は第２の変調テーブルを用い変調符号化され、前記第２の変調テーブルは、記録フレームの最終ビットの所定の組み合わせの変調符号化のためのみに使用され、及びフレーム同期の先頭ビットは、前の記録フレームの最終ビットの変調符号化にどちらの変調テーブルが使用されたかを表示し、前記装置は：
−第１の記録フレームの最終ＤＣ制御ビットを２つの異なるビット値に設定することが、結果として前記第１の記録フレームの直後の第２の記録フレームのフレーム同期の同一極性を生じるかを検査する検査ユニット、
−（ａ）第１の場合、前記検査の結果は異なる極性であり、前記第１の記録フレームの前記最終ＤＣ制御ビットを、埋め込まれるべき前記２次信号の２次ビットのビット値により制御されるビット値に設定し、結果として前記２次ビットのビット値を表す前記第２の記録フレームのフレーム同期の極性を生じるか、又は、
（ｂ）第２の場合、前記検査の結果は同一極性であり、前記第１の記録フレームの第２の最終ＤＣ制御ビット、又は前記第２の記録フレームのフレーム同期の先頭ビットを、前記２次ビットのビット値により制御されるビット値に設定する、設定ユニット、を有する装置。
【請求項２】
前記設定ユニットは、最終ＤＣ制御ビットの設定のための前記検査ユニットにおける検査の結果が、同一極性であった場合、前記第１の記録フレームの最終ＤＣ制御ビットを固定の所定ビット値に設定するために利用される、請求項１記載の装置。
【請求項３】
埋め込まれた２次信号を有する前記１次データビットストリームは、１７ＰＰ変調符号器により、完全な記録フレーム若しくは記録フレームの少なくとも主要部分のための主変調テーブル又は終端変調テーブルの記録フレームの最終ビットの所定の組み合わせを使用し、変調符号化され、及び前記設定ユニットは、最終ＤＣ制御ビットの設定のための前記検査ユニットにおける検査の結果が、同一極性であった場合、前記第１の記録フレームの最終ＤＣ制御ビットをビット値１に設定し、変調符号化のための前記終端変調テーブルの使用を防ぐために利用される、請求項２記載の装置。
【請求項４】
前記設定ユニットは、最終ＤＣ制御ビットの設定のための前記検査ユニットにおける検査の結果が、同一極性であった場合、前記第１の記録フレームの最終ＤＣ制御ビット及び前記第２の記録フレームのフレーム同期の先頭ビットを、前記２次ビットのビット値により制御されるビット値のシーケンスに設定するために利用される、請求項１記載の装置。
【請求項５】
前記検査ユニットは：
−前記第１の記録フレームの最終ＤＣ制御ビットの２つの異なるビット値を使用し、前記第１の記録フレームの最終データビットを変調符号化する試験変調符号器、及び
−前記２つの変調符号化の後、前記第２の記録フレームのフレーム同期の極性を検査する極性検査ユニット、を有する、請求項１記載の装置。
【請求項６】
前記２次チャネルビットの設定に使用されるべき記録フレームのＤＣ制御ビットは、前記記録フレームの終わりに位置付けられる、請求項１記載の装置。
【請求項７】
装置であって、１次チャネルの１次信号及び２次チャネルの２次信号を、変調ビットストリームに符号化し、前記装置は：
−１次データビットストリームは複数の記録フレームを有し、各記録フレームはフレーム同期で開始し次に複数のＤＣ制御ブロックが続き、各ＤＣ制御ブロックは複数の１次データビット及びＤＣ制御ビットを有し、前記１次信号を前記１次データビットストリームに転換する転換器、
−請求項１乃至６の何れか１項に記載の、前記２次チャネルの前記２次信号を前記１次データビットストリームに埋め込む装置、及び
−第２の変調テーブルは、記録フレームの最終ビットの所定の組み合わせの変調符号化のためにのみ用いられ、及びフレーム同期の先頭ビットは、前の記録フレームの最終ビットの変調符号化にどちらの変調テーブルが使用されたかを表示する、第１又は第２の変調テーブルを使用する変調符号器、特に１７ＰＰ変調符号器、を有する装置。
【請求項８】
前記変調符号器は、１７ＰＰ変調符号器であり、及び変調符号化のために主変調テーブル及び終端変調テーブルを使用するために利用され、前記終端変調テーブルは、記録フレームの最終ビットの所定の組み合わせを変調符号化するために使用され、この場合、後続の記録フレームのフレーム同期の先頭ビットは、ビット値１に設定される、請求項７記載の装置。
【請求項９】
装置であって、２次チャネルの２次信号を、埋め込まれた２次信号を有する１次チャネルの１次データビットストリームを表す変調ビットストリームから抽出し、前記１次データビットストリームは、複数の記録フレームを有し、各記録フレームはフレーム同期で開始し次に複数のＤＣ制御ブロックが続き、各ＤＣ制御ブロックは複数の１次データビット及びＤＣ制御ビットを有し、及び埋め込まれた２次信号を有する前記１次データビットストリームは、特に１７ＰＰ変調符号器により第１又は第２の変調テーブルを用い変調符号化され、前記第２の変調テーブルは、記録フレームの最終ビットの所定の組み合わせの変調符号化のためのみに用いられ、及びフレーム同期の先頭ビットは、前の記録フレームの最終ビットの変調符号化にどちらの変調テーブルが用いられたかを表示し、
前記装置は、変調された第１の記録フレームの直後の変調された第２の記録フレームのフレーム同期の極性を検査する極性検査ユニットを有し、前記極性は、前記２次信号の２次ビットのビット値を表す、装置。
【請求項１０】
前記極性検査ユニットは、フレーム同期の同期部分のＩ９ランレングスにおける極性を検査するために利用される、請求項９記載の装置。
【請求項１１】
方法であって、１次チャネルの１次データビットストリームに、２次チャネルの２次信号を埋め込み、前記１次データビットストリームは、複数の記録フレームを有し、各記録フレームはフレーム同期で開始し次に複数のＤＣ制御ブロックが続き、各ＤＣ制御ブロックは複数の１次データビット及びＤＣ制御ビットを有し、及び埋め込まれた２次信号を有する前記１次データビットストリームは、特に１７ＰＰ変調符号器により第１又は第２の変調テーブルを用い変調符号化され、前記第２の変調テーブルは、記録フレームの最終ビットの所定の組み合わせの変調符号化のためのみに使用され、及びフレーム同期の先頭ビットは、前の記録フレームの最終ビットの変調符号化にどちらの変調テーブルが使用されたかを表示し、前記方法は：
−第１の記録フレームの最終ＤＣ制御ビットを２つの異なるビット値に設定することが、結果として前記第１の記録フレームの直後の第２の記録フレームのフレーム同期の同一極性を生じるかを検査する段階、
−（ａ）第１の場合、前記検査の結果は異なる極性であり、前記第１の記録フレームの前記最終ＤＣ制御ビットを、埋め込まれるべき前記２次信号の２次ビットのビット値により制御されるビット値に設定し、結果として前記２次ビットのビット値を表す前記第２の記録フレームのフレーム同期の極性を生じるか、又は、
（ｂ）第２の場合、前記検査の結果は同一極性であり、前記第１の記録フレームの第２の最終ＤＣ制御ビット、又は前記第２の記録フレームのフレーム同期の先頭ビットを、前記２次ビットのビット値により制御されるビット値に設定する段階、
を有する方法。
【請求項１２】
方法であって、１次チャネルの１次信号及び２次チャネルの２次信号を、変調ビットストリームに符号化し、前記方法は：
−１次データビットストリームは複数の記録フレームを有し、各記録フレームはフレーム同期で開始し次に複数のＤＣ制御ブロックが続き、各ＤＣ制御ブロックは複数の１次データビット及びＤＣ制御ビットを有し、前記１次信号を前記１次データビットストリームに転換する段階、
−請求項１１に記載の方法により、前記２次チャネルの前記２次信号を前記１次データビットストリームに埋め込む段階、及び
−第２の変調テーブルは、記録フレームの最終ビットの所定の組み合わせの変調符号化のためにのみ用いられ、及びフレーム同期の先頭ビットは、前の記録フレームの最終ビットの変調符号化にどちらの変調テーブルが使用されたかを表示する、第１又は第２の変調テーブルを使用する変調符号化、特に１７ＰＰ変調符号化する段階、を有する方法。
【請求項１３】
方法であって、２次チャネルの２次信号を、埋め込まれた２次信号を有する１次チャネルの１次データビットストリームを表す変調ビットストリームから抽出し、前記１次データビットストリームは、複数の記録フレームを有し、各記録フレームはフレーム同期で開始し次に複数のＤＣ制御ブロックが続き、各ＤＣ制御ブロックは複数の１次データビット及びＤＣ制御ビットを有し、及び埋め込まれた２次信号を有する前記１次データビットストリームは、特に１７ＰＰ変調符号器により第１又は第２の変調テーブルを用い変調符号化され、前記第２の変調テーブルは、記録フレームの最終ビットの所定の組み合わせの変調符号化のためのみに用いられ、及びフレーム同期の先頭ビットは、前の記録フレームの最終ビットの変調符号化にどちらの変調テーブルが用いられたかを表示し、
前記方法は、変調された第１の記録フレームの直後の変調された第２の記録フレームのフレーム同期の極性を検査する段階を有し、前記極性は、前記２次信号の２次ビットのビット値を表す、方法。
【請求項１４】
記録担体であって、２次チャネルの２次信号が埋め込まれた１次チャネルの１次データビットストリームを表す変調ビットストリームを格納し、
−前記変調ビットストリームは、複数の変調された記録フレームを有し、各変調された記録フレームはフレーム同期で開始し次に複数のＤＣ制御ブロックが続き、各ＤＣ制御ブロックは複数の１次データビット及びＤＣ制御ビットを有し、
−埋め込まれた２次信号を有する前記１次データビットストリームは、変調符号器、特に１７ＰＰ変調符号器により第１又は第２の変調テーブルを使用し変調符号化され、前記第２の変調テーブルは、記録フレームの最終ビットの所定の組み合わせの変調符号化のためのみに使用され、及びフレーム同期の先頭ビットは、前の記録フレームの最終ビットの変調符号化にどちらの変調テーブルが使用されたかを表示し、及び
−第１の記録フレームの第２の最終ＤＣ制御ビット又は第２の記録フレームのフレーム同期の先頭ビットは、前記１次データビットストリームに埋め込まれた前記２次信号の２次ビットのビット値により制御されるビット値に設定され、結果として、第１の記録フレームの最終ＤＣ制御ビットを２つの異なる値に設定することが、前記第１の記録フレームの直後の前記第２の記録フレームのフレーム同期の同一極性を生じる場合、第２の記録フレームのフレーム同期の極性は、前記２次ビットのビット値を表す、記録担体。
【請求項１５】
１つ以上の変調された記録フレームのフレーム同期の先頭ビットは、前記先頭ビットの前の最終変調ビットを考慮すると正しくない、請求項１４記載の記録担体。
【請求項１６】
信号であって、２次チャネルの２次信号が埋め込まれた１次チャネルの１次データビットストリームを表す変調ビットストリームを伝達し、
−前記変調ビットストリームは、複数の変調された記録フレームを有し、各変調された記録フレームはフレーム同期で開始し次に複数のＤＣ制御ブロックが続き、各ＤＣ制御ブロックは複数の１次データビット及びＤＣ制御ビットを有し、
−埋め込まれた２次信号を有する前記１次データビットストリームは、変調符号器、特に１７ＰＰ変調符号器により第１又は第２の変調テーブルを使用し変調符号化され、前記第２の変調テーブルは、記録フレームの最終ビットの所定の組み合わせの変調符号化のためのみに使用され、及びフレーム同期の先頭ビットは、前の記録フレームの最終ビットの変調符号化にどちらの変調テーブルが使用されたかを表示し、及び
−第１の記録フレームの第２の最終ＤＣ制御ビット又は第２の記録フレームのフレーム同期の先頭ビットは、前記１次データビットストリームに埋め込まれた前記２次信号の２次ビットのビット値により制御されるビット値に設定され、結果として、第１の記録フレームの最終ＤＣ制御ビットを２つの異なる値に設定することが、前記第１の記録フレームの直後の前記第２の記録フレームのフレーム同期の同一極性を生じる場合、第２の記録フレームのフレーム同期の極性は、前記２次ビットのビット値を表す、信号。
【請求項１７】
コンピュータープログラムであって、前記コンピュータープログラムがコンピューターで実行された場合、請求項１１、１２又は１３記載の方法の段階をコンピューターで実行するコンピュータープログラムコード手段、を有するコンピュータープログラム。
【発明の詳細な説明】
【技術分野】
【０００１】
本発明は、１次チャネルの１次データビットストリームに、２次チャネルの２次信号を埋め込む装置及び対応する方法に関する。当該１次データビットストリームは、複数の記録フレームを有し、各記録フレームはフレーム同期で開始し次に複数のＤＣ制御ブロックが続き、各ＤＣ制御ブロックは複数の１次データビット及びＤＣ制御ビットを有する。また２次信号を埋め込まれた当該１次データビットストリームは、特に１７ＰＰ変調符号器により第１又は第２の変調テーブルを用い変調符号化され、当該第２の変調テーブルは、記録フレームの最終ビットの所定の組み合わせの変調符号化のためのみに用いられ、及びフレーム同期の先頭ビットは、前の記録フレームの最終ビットの変調符号化にどちらの変調テーブルが用いられたかを表示する。
【０００２】
本発明は、１次チャネルの１次信号及び２次チャネルの２次信号をチャネルビットストリームに符号化する装置及び対応する方法に更に関する。
【０００３】
本発明は、２次チャネルの２次信号を、埋め込まれた２次信号を有する１次チャネルの１次データビットストリームを表す変調ビットストリームから抽出する装置及び対応する方法に更に関する。
【０００４】
最後に、本発明は、２次チャネルの２次信号を埋め込まれた１次チャネルの１次データビットストリームを表す変調ビットストリームを格納する記録担体、及び変調ビットストリームなどを伝達する対応する信号に関する。
【背景技術】
【０００５】
コピー防止及びデジタル権利管理では、しばしば鍵（標準的に２５６又は５１２ビット）を記録担体に格納する必要がある。特許文献１（ＰＨＮＬ０００４５１）では、ＲＬＬ符号シーケンス内の２次信号をどのように符号化及び復号化するかが記載されている。２次信号は、所定位置に絶対的極性で格納される。この極性は、ＤＣ制御手段における自由度（ＣＤの場合、ビットの結合；ＤＶＤの場合、１次／２次同期、主／置換表、状態反転；ＢＤの場合、ＤＣ制御ビット）を用い設定される。２次信号をチャネルビットストリームの極性に符号化するためには、２つのパラメータが重要である。つまり、極性が制御される位置、及び極性が検出される位置である。
【０００６】
ブルーレイディスク（ＢＤ）方式では、極性は記録フレーム内の１つ以上のＤＣ制御ビットで制御され得る。極性が検出される位置は、選択するのがより困難である。ＤＣ制御ビット値の選択は、更に変調ビットストリーム内のチャネルビットの極性に影響する。これは完全に異なる変調ビットストリームを生じ得る。一般に、ＤＣ制御ビットの２つの選択肢は、極性が互いに反対なだけの、チャネルビットストリームの２つの候補セクションを生じない。更に、全ての位置において、ＤＣ制御ビットの反転が反対極性の変調ビットストリームを生じるわけではない。これら２つの特徴は、同期可変長符号として設計された１７ＰＰ変調符号の特定の構造、及びＤＣ制御が当該符号でどのように実現され得るかに関する。
【０００７】
ＢＤ規格の詳細は、別の米国特許に開示されている。特に、特許文献２は、ｎビットのソースワードを対応するｍビットのチャネルワードに符号化／復号化する装置、及びＢＤで用いられるＰＰチャネル符号の詳細を開示する。特許文献３は、ＰＰチャネル符号等における異なる同期ワードの使用を開示する。特許文献４及び特許文献５は、ＰＰチャネル符号の更に詳細、例えばＤＳＶ制御手段を開示する。ＢＤチャネル符号、特に１７ＰＰ変調符号の詳細は、本発明の理解と実施に関連し、上記の文献に記載されている。上記の文献は、このような詳細に関し、参照されることにより本願明細書に組み込まれる。
【特許文献１】国際公開第０２／１５１８５号パンフレット
【特許文献２】米国特許第５４７７２２２号明細書
【特許文献３】米国特許第６２２５９２１号明細書
【特許文献４】米国特許第６４９６５４１号明細書
【特許文献５】米国特許第６６７７８６６号明細書
【発明の開示】
【発明が解決しようとする課題】
【０００８】
本発明の目的は、上述の問題の解決策を提供すること、つまり２次チャネルの２次信号を１次チャネルの１次データビットストリームに埋め込むため極性を制御する最適位置、及び変調ビットストリームから２次信号を抽出する間、極性を検出する最適な解決策を見付けることである。
【課題を解決するための手段】
【０００９】
上述の目的は、請求項１に記載された、２次チャネルの２次信号を１次チャネルの１次データビットストリームに埋め込む装置により達成される。前記装置は、
−第１の記録フレームの最終ＤＣ制御ビットを２つの異なるビット値に設定することが、結果として前記第１の記録フレームの直後の第２の記録フレームのフレーム同期の同一極性を生じるかを検査する検査ユニット、
−（ａ）第１の場合、前記検査の結果は異なる極性であり、前記第１の記録フレームの前記最終ＤＣ制御ビットを、埋め込まれるべき前記２次信号の２次ビットのビット値により制御されるビット値に設定し、前記２次ビットのビット値を表す前記第２の記録フレームのフレーム同期の極性を生じるか、又は、
（ｂ）第２の場合、前記検査の結果は同一極性であり、前記第１の記録フレームの第２の最終ＤＣ制御ビット、又は前記第２の記録フレームのフレーム同期の先頭ビットを、前記２次ビットのビット値により制御されるビット値に設定する、設定ユニット、を有する。
【００１０】
本発明は、極性検出位置が記録フレームのフレーム同期（同期パターンとも称される）内で選択されるという考えに基づく。フレーム同期の同期部分は、一般に長いランレングスを有する。望ましくはＢＤ方式では９Ｔランレングスであり、２つの連続する９Ｔランレングスが存在し確実に検出され得る。極性制御は、第１の場合には、前の（第１の）記録フレームの最終ＤＣ制御ビットで行われる。これが後続の（第２の）記録フレームのフレーム同期の極性を一意的に決定し得ない場合、つまりＤＣ制御ビット値の反転が同期パターンに反対極性を生じない場合、極性制御は、第２の場合には、前の（第１の）記録フレームの第２の最終ＤＣ制御ビットにより、又は後続の（第２の）記録フレームのフレーム同期の先頭ビットにより行われる。
【００１１】
記録フレームのフレーム同期の先頭ビットは、変調方式、特に１７ＰＰ変調方式で使用され、どの変調テーブルが前の記録フレームの終わりの最後の数ビットの変調符号化に使用されたかを表示する。つまりこのビットは、復号器にどの変調テーブルが現在、当該記録フレームの終わりの最後の数ビットの復調に使用されるべきかを表示する。好適な実施例では、設定ユニットは、最終ＤＣ制御ビットの設定のための検査ユニットにおける検査の結果が、同一極性であった場合、第２の変調テーブルが使用されないよう、第１の記録フレームの最終ＤＣ制御ビットを固定の所定ビット値に設定することが提案される。
【００１２】
特に、１７ＰＰ変調方式を用いる場合、終端変調テーブル又は主変調テーブルが変調符号化に使用される場合、第１の記録フレームの最終ＤＣ制御ビットは、ビット値１に設定される。この場合は、第１の記録フレームの当該第２の最終ＤＣ制御ビット、又は第２の記録フレームのフレーム同期の当該第１のビットが、当該２次ビットのビット値により制御されるビット値に設定される、両方の場合で使用されることが望ましい。このように、終端変調テーブルは、１７ＰＰ変調器により決して使用され得ない。また第１の記録フレームの最終ＤＣ制御ビットは、第２の記録フレームのフレーム同期の極性に影響し得ない。この極性は、第１の記録フレームの第２の最終ＤＣ制御ビット、又は第２の記録フレームのフレーム同期の先頭ビットの設定によってのみ影響される。
【００１３】
この場合の主変調テーブルの強制的使用により、第２の記録フレームのフレーム同期の先頭ビットは、ビット値０に設定されるが、また誤って２つのテーブルを使用することにより、ビット値１に設定されフレーム同期の極性を制御し得る。この場合、復調器は終端変調テーブルの使用により前の記録フレームの最終ビットを復調できないので、復調器は、フレーム同期の先頭ビットの設定を誤りとして認識可能である。これは、終端変調テーブルが２つのテーブルエントリのみを有し、チャネルビットストリームの全ての可能なセクションを網羅しないという事実による。しかしながら、復号器は、復号器がチャネルビットシーケンスを終端変調テーブル内に見付けない場合、復号器は主変調テーブルのチャネルビットシーケンスを代わりに使用するよう、適応され得る。このように、復号化のための１７ＰＰ符号テーブルは、決して違反されず、２次チャネルは常に保証される。第２の最終ＤＣ制御ビットを使用する場合、変調ルールの如何なる違反も生じないので、１７ＰＰ復号器のこのような適応は、必要ない。
【００１４】
留意すべき点は、この手段は、ＢＤ方式が２つの連続する記録フレームの間の境界に跨って維持されるべきパリティ保存（ｐａｒｉｔｙ  ｐｒｅｓｅｒｖｅ）特性（１７ＰＰ符号の基本的特性）を保証しないので、ＢＤ方式に本発明を使用する場合に好ましい。つまり、記録フレームの終わりで１７ＰＰ符号テーブルの終端変調テーブルを使用することは、結果としてパリティ保存特性の違反を生じる。
【００１５】
本発明の別の実施例では、設定ユニットは、最終ＤＣ制御ビットの設定のための検査ユニットにおける前記検査の結果が、同一極性であった場合、第１の記録フレームの最終ＤＣ制御ビット及び第２の記録フレームのフレーム同期の先頭ビットを、前記２次ビットのビット値により制御されるビット値のシーケンスに設定するために利用される。従って、この実施例によると、フレーム同期の極性は、これらビットの組み合わせの適切な選択により制御される。従って、最終ＤＣ制御ビットをビット値１に設定することは必須ではないが、第１の記録フレームの最終ＤＣ制御ビット及び第２の記録フレームのフレーム同期の先頭ビットのビット値は、それらが共に第２の記録フレームのフレーム同期の極性を設定し、２次ビットのビット値を反映するよう、選択される。望ましくは、これら２つのビットのビット値の組み合わせは、符号化ルールの如何なる違反も生じないよう、又は代案として１つ以上の組み合わせに対し違反が生じた場合、このような違反は復号器により訂正されそして復号中に誤った１次データを生じないよう、選択される。
【００１６】
本発明の更に好適な実施例によると、検査ユニットは、試験変調符号器、及び極性検査ユニットを有する。これらの手段により、記録フレームは、更なる評価のための試験として、最終ＤＣ制御ビットの異なる設定を使用することにより別個に変調され、それらの結果、次のフレーム同期の極性が異なるか又は同一かが検査される。
【００１７】
望ましくは、２次チャネルビットの設定に使用されるべき記録フレームのＤＣ制御ビットは、記録フレームの終わりに位置付けられる。このようにＤＣ制御ビットの設定は、記録フレームの第２の最終ＤＣ制御ビットと当該記録フレームの終わりとの間の変調された記録フレームの残りの部分の極性に影響しない。望ましくは、記録フレームは、複数のＤＣ制御ブロックに分割される。各ＤＣ制御ブロックは、ＤＣ制御ブロックの終わりに１つのＤＣ制御ビットを有する。後者のＤＣ制御ビットは、次のＤＣブロックのチャネルビットストリームの拠出に影響し得る。記録フレームの終わりに、以上で記録フレームの最終ＤＣ制御ビットとして参照された最後のＤＣ制御ビットがある。
【００１８】
本発明はまた、請求項７に記載のように、１次チャネルの１次信号及び２次チャネルの２次信号を、チャネルビットストリームに符号化する装置に関する。前記装置は、
−１次データビットストリームは複数の記録フレームを有し、各記録フレームはフレーム同期で開始し次に複数のＤＣ制御ブロックが続き、各ＤＣ制御ブロックは複数の１次データビット及びＤＣ制御ビットを有し、前記１次信号を前記１次データビットストリームに転換する転換器、
−請求項１乃至６の何れか１項に記載の、前記２次チャネルの前記２次信号を前記１次データビットストリームに埋め込む装置、及び
−第２の変調テーブルは、記録フレームの最終ビットの所定の組み合わせの変調符号化のためにのみ用いられ、及びフレーム同期の先頭ビットは、前の記録フレームの最終ビットの変調符号化にどちらの変調テーブルが用いられたかを表示する、第１又は第２の変調テーブルを用いる変調符号器、特に１７ＰＰ変調符号器（４）、を有する。
【００１９】
好適な実施例では、変調符号器は１７ＰＰ変調符号器であり、ＢＤ規格に定められたように、主変調テーブル及び以下に詳細に説明されるように変調符号化のための終端変調テーブルを使用するために利用される。この実施例は、特に書き換え可能なＢＤ媒体に利用されるが、また同様に追記型又はＲＯＭのような他の書き換え可能な媒体にも同様に利用可能である。
【００２０】
更に、本発明はまた、２次チャネルの２次信号を、埋め込まれた２次信号を有する１次チャネルの１次データビットストリームを表す変調ビットストリームから抽出する装置に関する。前記１次データビットストリームは、複数の記録フレームを有し、各記録フレームはフレーム同期で開始し次に複数のＤＣ制御ブロックが続き、各ＤＣ制御ブロックは複数の１次データビット及びＤＣ制御ビットを有する。また埋め込まれた２次信号を有する前記１次データビットストリームは、特に１７ＰＰ変調符号器により第１又は第２の変調テーブルを用い変調符号化され、前記第２の変調テーブルは、記録フレームの最終ビットの所定の組み合わせの変調符号化のためのみに用いられ、及びフレーム同期の先頭ビットは、前の記録フレームの最終ビットの変調符号化にどちらの変調テーブルが用いられたかを表示する。前記装置は、変調された第１の記録フレームの直後の変調された第２の記録フレームのフレーム同期の極性を検査する極性検査ユニットを有し、前記極性は、前記２次信号の２次ビットのビット値を表す。
【００２１】
上述の装置に対応する本発明による方法は、請求項１１乃至１３に定められる。
【００２２】
更に、本発明はまた、変調ビットストリームを格納する記録担体、及び２次チャネルの２次信号が埋め込まれた１次チャネルの１次データビットストリームを表す変調ビットストリームを伝達する信号に関する。ここで、
−前記変調ビットストリームは、複数の変調された記録フレームを有し、各変調された記録フレームはフレーム同期で開始し次に複数のＤＣ制御ブロックが続き、各ＤＣ制御ブロックは複数の１次データビット及びＤＣ制御ビットを有し、
−埋め込まれた２次信号を有する前記１次データビットストリームは、変調符号器、特に１７ＰＰ変調符号器により第１又は第２の変調テーブルを用い変調符号化され、前記第２の変調テーブルは、記録フレームの最終ビットの所定の組み合わせの変調符号化のためのみに用いられ、及びフレーム同期の先頭ビットは、前の記録フレームの最終ビットの変調符号化にどちらの変調テーブルが用いられたかを表示し、及び
−第１の記録フレームの第２の最終ＤＣ制御ビット又は第２の記録フレームのフレーム同期の先頭ビットは、前記１次データビットストリームに埋め込まれた前記２次信号の２次ビットのビット値により制御されるビット値に設定され、結果として、第１の記録フレームの最終ＤＣ制御ビットを２つの異なる値に設定することが、前記第１の記録フレームの直後の前記第２の記録フレームのフレーム同期の同一極性を生じる場合、第２の記録フレームのフレーム同期の極性は、前記２次ビットのビット値を表す。
【００２３】
望ましくは、第２の記録フレームのフレーム同期の先頭ビットが、前記１次データビットストリームに埋め込まれた前記２次信号の２次ビットのビット値により制御されるビット値に設定される場合、１つ以上の変調された記録フレームのフレーム同期の先頭ビットは、１に等しいビット値１に設定されて良い。これは、前記先頭ビットの前の最終変調ビットのために主変調テーブルを使用することを考慮すると正しくない。この主変調テーブルの使用は、最終ＤＣ制御ビットを１に等しくすることにより実行される。上述の手段は、明らかに本発明の使用を示す。
【００２４】
最後に、本発明はまた、本発明による当該方法をコンピューターで実施するためのコンピュータープログラムに関する。
【００２５】
本発明は、図面を参照し更に詳細に説明される。
【発明を実施するための最良の形態】
【００２６】
以下では、本発明は、書き換え可能なＢＤ方式が１次チャネルの１次信号を符号化するために利用される特定の実施例を参照して説明される。当該１次信号の１次データビットストリームの中に、例えば暗号化又は復号化に使用される鍵、特定の記録担体の識別子又は他のコピー防止データが埋め込まれ、ユーザーにより変更できないが、確実に検出可能である必要がある。第一に、１次（主）チャネルの１次信号及び２次（副）チャネルの２次信号を符号化する、本発明による装置の一般的な配置、及び書き換え可能なＢＤ方式の関連部分は、図１乃至図４を参照して簡単に説明される。
【００２７】
図１に示されるように、１次信号は、先ずＥＣＣ符号器１により、所謂ＥＣＣクラスターにＥＣＣ符号化される。このＥＣＣクラスターの１つの行１０は、図２の上部に示され、１５５バイトを有する。ＥＣＣクラスターの各行１０は、図２の下部に示されるように、フレーム同期ビット及びＤＣ制御ビットのための場所を追加することにより、転換器２により記録フレーム１２に変換される。この目的のため、１５５バイトのＥＣＣクラスターの各行１０により形成された１２４０データビットのストリーム１１は、１グループの２５データビットと、２７グループの４５データビットに分割される。ここでバイトの最上位ビットが最初に処理される。先頭グループの２５データビットは、フレーム同期を挿入するための２０個の「仮想」データビット位置で延長される。これは、３０個の変調／チャネルビットの特別シーケンスである（同期パターンのこれらのチャネルビットシーケンスに対し等価なユーザービットは存在しない）。次に、４５データビットの各グループは、１つの追加ビット位置を備え、ＤＣ制御ブロックを形成する。ＥＣＣクラスターからの４９６個の行１０は、記録フレーム１２に転換され、物理クラスターと称される。
【００２８】
以下に詳細に説明される埋め込み装置３を使用し、２次信号を１次データビットストリームに埋め込んだ後、フレーム同期を除く記録フレームの全ビットは、１７ＰＰ変調符号に従う１７ＰＰ変調器４により変調ビットに変換される。これは、ＲＬＬ（１，７）符号であり、２Ｔ≦ランレングス≦８Ｔであり、いくつかの特異的性質を有する。ＰＰは、パリティ保存（ｐａｒｉｔｙ  ｐｒｅｓｅｒｖｅ）／ＲＭＴＲ禁止（ｐｒｏｈｉｂｉｔ  ＲＭＴＲ）を意味する。パリティ保存は、データビットストリーム内の「１」の数が偶数の場合、変調ビットストリーム内の「１」の数も偶数であり、またデータビットストリーム内の「１」の数が奇数の場合、変調ビットストリーム内の「１」の数も奇数であることを意味する。この特性は、記録された信号効率の低周波数コンテンツの制御を容易にする。ＲＭＴＲ禁止は、連続する最小ランレングス（２Ｔ）の数が６に制限されることを意味する。最小ランレングスでは信号レベルが低いので、これは、読み出し性能を向上し、ＲＭＴＲを６に制限することはまた、ビット検出に使用されるビタビプロセッサーのトレースバック手順のトレースバック深さを制限する。
【００２９】
図３の表は、データビットから変調ビットへの変換ルールを定める。データビットは、左から右へ処理される（ＭＳＢが最初、図２を参照のこと）。記録フレームの終わりの最後の２又は４個の残りのビットは、これら最後の数ビットの値が全て０に等しい場合、終端ビット用のテーブルに従い符号化される。テーブル内の「１」は、記録された信号（ＮＲＺチャネルビットストリーム）内の遷移を表す。
【００３０】
その後、変調ビットストリームは、変換器５によりＮＲＺＩチャネルストリームに変換され、そして続いてこの実施例に示されるように記録器６により光ディスクのような記録担体７に記録され、又はインターネットのような伝送線を介して、又は通信網の通信経路を介して信号として送信される。変調ビットストリーム内の「１」は、記録された信号内の遷移を意味するので、当該信号の極性は、奇数個の「１」が制御された方法で変調ビットストリームに追加された場合、反転され得る。１７ＰＰ変調符号のパリティ保存特性のため、反転が必要な場合、これは追加ビットをデータビットストリームに挿入し及びこれらを「１」に設定するだけで可能である。このように、記録された信号の累算したＤＳＶは、前のＤＣ制御ブロックの終わりにおいてＤＣ制御ビットを「０」又は「１」に設定することにより、各ＤＣ制御ブロックの後で最小化される（図１を参照のこと）。
【００３１】
物理クラスターは、１６個のアドレスユニットから成り、各アドレスユニットは３１個の記録フレームを有する（図２を参照のこと）。変調された記録フレームは、３０個のチャネルビットから成るフレーム同期で開始する。フレーム同期の主体は、１７ＰＰ変調ルールに違反する２４ビットパターンにより形成される（９Ｔの２倍のランレングス）。最後の６ビットは、７個の異なるフレーム同期パターンを識別するシグニチャーを定める。フレーム同期ＩＤのための６ビットシグニチャーは、それらの距離が遷移シフト＞２の関係を有するよう選択される。
【００３２】
フレーム同期の前の最終データビットが終端変調テーブル（図３を参照のこと）に従い符号化された場合、フレーム同期の先頭変調ビット、つまり＃−ビットは、「１」に設定される。その他の場合、＃−ビットは、「０」に設定される（図４を参照のこと）。フレーム同期パターンは、変調ビットに関して定められる。テーブル内の「１」は、記録された信号内の遷移を表す。ディスクに記録する前、又は信号を送信する前に、フレーム同期符号は、変換器５によりＮＲＺＩチャネルビットストリームに変換される。ＢＤ方式の更なる詳細は、例えば、書き換え可能なＢＤ方式規格から分かるが、本発明の理解及び実施には必要ない。
【００３３】
ＢＤ方式では、極性は記録フレーム内のＤＣ制御ビットで制御され得る。極性が検出される位置は、選択するのがより困難である。ＤＣ制御ビット値の選択は、更に変調ビットストリーム内のチャネルビットの極性に影響する。これは完全に異なる変調ビットストリームを生じ得るが、以下の問題を生じる。
（１）ＤＣ制御ビットは、記録フレーム内の所定の位置で生じるが、ＤＣ制御ビットの前のデータビットに依存し（例えばＤＣ制御ビットＮが値「０」を有し且つ全ての他のデータビットが「０」である場合、「０Ｎ００００００」、「０００Ｎ００００」、「０００００Ｎ００」、「０００００００Ｎ」、「０Ｎ００００」等がデータビットパターン内にあり得る）、主変調テーブルの異なるテーブルエントリのデータビットパターン内の異なる（奇数インデックスの）位置であり得る（記録フレームの先頭ビットにおいて「０」からカウントを開始する）。これらの異なる位置は、結果として完全に異なる変調ビットストリームを生じ得る。
（２）ＤＣ制御ビットの反対の値は、必ずしも結果としてＤＣ制御ビットの後の全ての位置において後続のチャネルビットの反対極性を生じない。この反対極性の特性は、記録フレームの終わり（最終チャネルビット）、及び変調ワードの終わり（最終チャネルビット）においてのみ保証される（１７ＰＰ変調符号のパリティ保存特性のため）。しかし、変調ワードの長さは、データパターンに依存する（なぜなら１７ＰＰ変調符号は可変長符号であるので、つまり符号テーブルは、２つのユーザービットから３個のチャネルビットへの割り付けを有するが、また４から６へ、６から９へ、及び８から１２への割り付けも有するので）。
【００３４】
これらの問題のため、２次チャネル（副チャネルとも称される）は、極性が記録フレームの最終チャネルビットにおいて検出された場合のみ、保証され得る。極性制御は、極性制御に使用されるＤＣ制御ビットの選択の結果として他の後続のＤＣ制御ビットが変化しない場合、記録フレームの如何なるＤＣ制御ビットにおいても実行され得る。以後、実際の位置は、記録フレームの最終ＤＣ制御ビットである。また、当該チャネルビットの極性が記録フレームの最終チャネルビットの極性に一意的に関連する如何なる位置も可能である。
【００３５】
上述の２つの問題は、図５に示される。例として、任意のデータストリームが示される。例Ａでは、ＤＣ制御ビットは、ストリーム内の２番目のビットである。例Ｂでは、ＤＣ制御ビットは、ストリーム内の４番目のビットである。両方の例とも、ＤＣ制御ビットの２つの可能な値（０又は１）の場合のデータビットストリーム及び変調ビットストリームが示される。「極性の差」の行では、どのチャネルビット位置において、変調ビットストリームが、ＤＣ制御ビット値０又は１に対し、同一の（０）又は反対の（１）値を有するかが示される（勿論、反対のＤＣ制御ビット値が結果として変調ビットストリームに反対のチャネルビット値を生じる場合、副チャネルは、変調ビットストリームに埋め込まれ得るだけである）。図５から分かるように、反対のＤＣ制御ビット値が選択された場合、全てのチャネルビット位置が反対の極性値を有するわけではなく、及びデータビットパターン内のＤＣ制御ビットの位置に依存して、同一のＤＣ制御ビット値が異なる変調極性を与え得ること、これはまた前のデータビットの値に依存する。
【００３６】
以上からの結論は、極性検出の好ましい位置が、記録フレームの最終チャネルビットであることである。これは、しかしながら、以下の不利点を有する。最終チャネルビットは、３Ｔランレングスの先頭ビットであり得る。これは、当該先頭ビットの信号振幅が低いので、副チャネルの確実な検出のためには好ましくない。
【００３７】
上述の問題を克服するため、極性検出の好ましい位置は、記録フレームの同期パターン内に選択される。同期部分は、図４に示されるように、９Ｔランレングスを有し、２つの連続する９Ｔランレングスが信号振幅の最大変調を生成するので、確実に検出され得る。極性制御は、望ましくは、前の記録フレームの最終ＤＣ制御ビットで行われる。副チャネルがこのように符号化されると、別の問題が生じる。同期フレームの最終ＤＣ制御ビットが「０」に設定され、且つ最終データビットが終端変調テーブルに従い変調される場合、当該同期フレームに続く同期パターンの極性は、ＤＣ制御ビットが「１」に切り替えられた場合、反転されない。この理由は、終端変調テーブルが使用される場合、同期パターンの先頭ビット（図４に示されるような、及びブルーレイディスク規格に示される「＃」−ビット）は、「１」に設定される。一方で、ＤＣ制御ビットが「１」に設定される場合（遷移を意味する）、終端変調テーブルは、決して使用されず、「＃」−ビットは「０」に設定される。これは図６に示される。全ての可能なデータビットパターンは、同期フレームの直前に示される。各データビットパターンは、２つの反対の場合、つまりＤＣ制御ビット「０」又は「１」を有する。
【００３８】
この問題を克服する１つの選択肢は、一緒に満たされる必要がある以下の条件の下で、＃−ビット（同期フレームの先頭ビット）を反転することにより、同期パターンの極性を制御することである。
（１）終端変調テーブルは使用されない。つまりＢＤにおける標準の１７ＰＰ符号器の場合、＃−ビットは０に設定されなければならないことを意味する。
（２）記録フレームの最終ＤＣ制御ビット値の反転が、結果として次の記録フレームの同期パターンに反対極性を生じない全ての場合（これはＤＣ制御ビット値「０」の結果、終端変調テーブルを使用する場合であり、ＤＣ制御ビットに「○」を示す２つの丸を付した図６の第１及び第３の例から明らかである）。留意すべき点は、ランレングスの制約が、ここで検討された全てのこれらの場合で満たされることである
これは、結果として復号化中に誤りを生じない。なぜなら１７ＰＰ復号器で試験されているので、如何なる曖昧さも存在しないからである。主符号テーブル（終端変調テーブルではない）が符号器により使用されている場合、＃−ビットが１に等しくされるかも知れないからである。
【００３９】
また一般に、＃−ビットを直接使用し、副チャネルを符号化すること、つまり＃−ビットが「０」から「１」に反転されることが可能である。しかしながら、終端テーブルが使用されているため、いくつかの又は全てのフレーム同期の＃−ビットが既に「１」である場合、データパターンが存在し得るので、これは保証されたチャネルではない。＃−ビットが「１」（終端変調テーブルの使用を示す）から「０」に反転される場合、主チャネル内の誤りは、記録フレーム内の最終ビットを示す以下の例により示されるように、復号化中に生じ得る。
データビット        ０１    ００
チャネルビット    ０１０    ０００｜１（「１」に設定された＃−ビット）
チャネルビット    ０１０    ０００｜０（２次チャネル用に「０」に反転された＃−ビット）
検出ユーザービット  ００    １０      （主又は１次チャネルの誤り）
＃−ビットが１に設定される場合、終端変調テーブルの使用は示されず、終端変調テーブルでない主変調テーブルが使用されるが、現在ＢＤ規格に存在するような符号テーブルに従い復号する既存の復号器は、それらの復号化方法に依存して不一致を有し得る。いくつかの復号器は、意図的に導入された不一致さえもチャネル誤りとして見なし、これを現在の記録フレームの最終ＥＣＣシンボルの消去情報としてＥＣＣ復号器に渡し得る。
【００４０】
本発明の別の選択肢は、記録フレームの最終ＤＣ制御ビット又は記録フレームのフレーム同期の＃−ビットを使用することが、記録フレームの第２の最終ＤＣ制御ビットを極性制御のために使用することである場合に現れる上述の問題を克服することである。この選択肢によると、図６に示されたように、終端変調テーブルが主チャネルの最終データビットの変調に使用される場合にのみ、ＤＣ制御ビット２７（先頭ＤＣ制御ビットに対し、０からカウントを開始する）、つまり記録フレームの最終ＤＣ制御ビットは、初期設定で「１」に設定される。このように、終端変調テーブルは、決して使用され得ない。結果として、当該記録フレームに続く同期部分では、先頭ビット、つまり＃−ビットは「ゼロ」にされる。その後、結果として生じるユーザーデータストリームは検査される。そしてＤＣ制御ビット２６、つまり記録フレームの第２の最終ＤＣ制御ビットは、フレーム同期、特に次の記録フレームの同期部分内の２つのＩ９ランレングスから選択された１つのＩ９ランレングスが正しい極性、つまり当該極性を使用して符号化されるべき２次ビットのビット値を表す極性を有するように、選択される。このように、復号化のための１７ＰＰ符号テーブルは、決して違反されず、２次チャネルは完全に保証される。
【００４１】
２次信号を１次データビットストリームに埋め込む、本発明の方法を説明するため、図７及び図８に２つの実施例を説明する２つのフローチャートが示され、及び図９に埋め込みユニット３のブロック図が示される。第一に、１次データビットストリームは、以上に説明されたような一連の記録フレーム及び任意的に事前に符号化され得る２次信号を有し、検査ユニット３１へ供給される。ここで試験変調器３３の使用により、記録フレームは、第１の段階Ｓ１において、１７ＰＰ変調器４により利用される１７ＰＰ変調符号を使用し、１７ＰＰ変調される。この試験変調は、同一の記録フレームに対し、望ましくは当該記録フレームに埋め込まれるべき２次信号の１ビットを符号化するために使用される最終ＤＣ制御ビットの異なる設定を使用し、２回行われる。
【００４２】
その後、段階Ｓ２において、極性検査ユニット３４の使用により、２つの異なる変調された記録フレームが、結果として次のフレーム同期、つまり後続の記録フレームのフレーム同期の同期部分において異なる極性を生じたかが検査される。この場合には、現在の記録フレームの最終ＤＣ制御ビットが２次信号の１ビットを符号化するために使用され、従って最終ＤＣ制御ビットが段階Ｓ３において設定ユニット３２の使用により所望の値に設定され、次のフレーム同期の極性、特に次の記録フレームの同期部分内の２つのＩ９ランレングスから選択された１つのＩ９ランレングスは、２次信号の符号化されたビットのビット値を表す。
【００４３】
しかしながら、段階Ｓ２における検査で、最終ＤＣ制御ビットの異なる設定が、結果として次のフレーム同期に異なる極性を生じないことが明らかになった場合、最終ＤＣ制御ビットは、２次信号のビットを符号化するために使用され得ない。この場合、同一の考えに基づき２次チャネルを保証することに関し等価な２つの可能な実施例がある。同一の考えとは、次の記録フレームに異なる極性を生じるが、異なる変調ビットストリームを生じ得る記録フレームの残りの部分に影響しない、極性制御のためのビットを使用することである。第１の実施例は、図７に示され、終端変調テーブルが使用されない場合、次のフレーム同期の先頭ビット（＃−ビット）を、現在の記録フレームの最終ＤＣ制御ビットと連結して使用する。第２の実施例は、図８に示され、現在の記録フレームの第２の最終ＤＣ制御ビットを使用する。一般に、どの実施例を特定の装置又は方法に実際に使用するかは、実施の問題である。
【００４４】
第１の実施例では、＃−ビットは段階Ｓ４において、当該フレーム同期の極性が、埋め込まれるべき２次信号のビットのビット値を表すよう、設定ユニット３２により直接設定される。望ましくは、段階Ｓ５において事前に、現在の記録フレームの最終ＤＣ制御ビットは、ビット値１に設定される。これは、終端変調テーブルが、１次データビットストリームの最終ビットの１７ＰＰ変調に使用されず、及び次のフレーム同期の先頭ビット（＃−ビット）が自動的にビット値０に設定されるという効果を有する。
【００４５】
段階Ｓ４において、＃−ビットの設定は、２次ビットの所望のビット値に従い行われ得る。この結果、＃−ビットのビット値が１である場合、これは、復調復号化用に最近使用された復号器が、第一に、終端変調テーブルが使用されていると見なすことを意味する。当該復号器は、最終変調ビットを、終端変調テーブルの使用によりデータビットに復号しようとする（例えば、最終ＤＣ制御ビット＝１に対し「０１０」、図６の２番目の行、４番目の列を参照のこと）。しかしながら、エントリ「０１０」は、終端変調テーブルの変調ビットには生じない。このエントリはテーブル内に生じないので、高性能復号器は、誤って復号せず、主変調テーブルを使用して復号しようとする。従って、復号化は、極性を調整するために必要だった＃−ビット内の「誤り」又は「不一致」にも拘わらず再び正しい。
【００４６】
図８に示される第２の実施例では、現在の記録フレームの第２の最終ＤＣ制御ビットは、設定ユニット３２により段階Ｓ８において、２次ビットのビット値を表すよう設定される。再び、望ましくは段階Ｓ９において事前に、現在の記録フレームの最終ＤＣ制御ビットは、ビット値１に設定される。従って次のフレーム同期の先頭ビット（＃−ビット）は、自動的にビット値０に設定される。この実施例では、最終ＤＣ制御ビット及び＃−ビットは、次のフレーム同期の極性に如何なる影響も与えない。しかし第２の最終ＤＣ制御ビットは、フレーム同期において目的の極性を制御する。更に、第２の実施例は、以上に第１の実施例に関し説明されたように、現在の１７ＰＰ復号器と僅かに互換性に欠けるという欠点を有し得ない。
【００４７】
段階Ｓ６において、最終又は第２の最終ＤＣ制御ビットの選択された設定、及び必要ならばどちらの実施例が選択されるかに依存して、次のフレーム同期の＃−ビットの設定を有する記録フレームが出力される。段階Ｓ７で検査される１次データビットストリームに更に記録フレームがある場合、段階Ｓ１が続けられる。その他の場合には、変調ビットストリームに埋め込まれた２次情報を有する１次データビットストリームの１７ＰＰ変調が続けられる。
【００４８】
＃−ビットが極性制御に使用される図７に示された実施例に加え、この実施例に基づく更に別の可能性がある。図６から分かるように、最初の行はＤＣ制御ビット０を有し、結果として特定の極性を生じる。図６のテーブルの２番目の行は、ＤＣ制御ビット１を有し、結果として同一極性を生じる。この場合に異なる極性を作るため、この２番目の行で＃−ビットをビット値１に設定することが可能である。これは、最終ＤＣ制御ビットが０に等しく且つ＃−ビットが１に等しく最初の行を選択することにより、第１の極性が作られること、及び図６の２番目の行の最終ＤＣ制御ビットは１に等しいが＃−ビットを１に設定することによってのみ、反転極性が設定されることを意味する。これは従って、最終ＤＣ制御ビットが望ましくは初期設定で１に設定され、そして極性が＃−ビットによってのみ調整される図７に示された実施例と異なる。従って実際には、最終ＤＣ制御ビットは、＃−ビットで極性を選択するよう選択された場合、必ずしもビット値１に設定される必要がない。
【００４９】
これはまた、以下のように別の方法で説明され得る。図６のテーブルの最初の２行を見ると、以下の２つの場合が示される。
ＤＣ制御ビット    ＃−ビット    パリティ
０                １            １
１                ０            １
図７に示された実施例の１つの選択肢では、最終ＤＣ制御ビットが１に設定され、そして極性が＃−ビットによってのみ調整される。
ＤＣ制御ビット    ＃−ビット    パリティ
１                ０            １  又は
１                １            ０
図７に示された実施例の変形では、最終ＤＣ制御ビットを０に設定しても良い。パリティを０にするため、最終ＤＣ制御ビットは選択される。
ＤＣ制御ビット    ＃−ビット    パリティ
１                １            ０
パリティを１にするため、最終ＤＣ制御ビットは２つの選択肢の間で選択される。
ＤＣ制御ビット    ＃−ビット    パリティ
０                １            １  又は
１                ０            １
従ってパリティ１が設定される場合、最終ＤＣ制御ビットの値をこの実施例に従い選択することが可能である。パリティ０が設定される場合のみ、＃−ビットの符号化ルールの違反が生じる。この違反はしかしながら、適切な復号器により訂正され得る。最終ＤＣ制御ビット及び後続の＃−ビットの組み合わせ「００」は、しかしながら、この組み合わせが結果として他の場所で説明されたように不正な復号化結果を生じるので、許されない。
【００５０】
図１０は、以上に説明されたような２次信号が埋め込まれている１次チャネルの１次データビットストリームを表す変調ビットストリームの読み出しのための装置の一般的な配置を示す。図１０に示された実施例では、変調ビットストリームは、ＮＲＺＩチャネルビットストリームとして光学記録担体７に記録され、そして読み出しユニット２０により読み出される。ＮＲＺＩチャネルビットストリームは、次にＮＲＺＩチャネルビットストリームから２次情報を抽出する極性検査ユニット２１へ供給される。記録フレームのこのフレーム同期の極性は、連続的に検査され、各フレーム同期の極性は、前記２次信号の１ビットを表す。極性検査ユニット２１から、２次信号は、次に出力される。ＮＲＺＩチャネルビットストリームは、その後、変換器２２により変調ビットストリームに変換される。その後、変調ビットストリームは、１７ＰＰ復調器２３により、符号化に使用された１７ＰＰ変調符号に従い復調される。更に、復調されたビットストリームはまた、復号し１次信号を出力するため、復号器２４へ供給される。
【００５１】
一般的に、極性検査ユニット２１を１７ＰＰ復調器２３と復号器２４との間に置くことも可能である。
【００５２】
しかしながら、変換及び１７ＰＰ復調の後、極性情報は、１７ＰＰ復調器の実装に依存して、原則としてユーザーデータビットストリームのみが残る出力において失われ得る。従って、確実に極性検査が正しく生じるため、極性検査ユニット２１を読み出しユニット２０と変換器２２との間に置くことが望ましい。
【００５３】
本発明は、２次信号を１次チャネルの１次データビットストリームに埋め込むための簡易且つ効率的な方法を提供し、それにより２次チャネルは保証され得、データビットストリームの特性に依存しない。更に２次信号は、変調ビットストリームから高い検出信頼度で検出され得る。なぜならば２次信号は、長いランレングス（Ｉ９又は９Ｔ）の極性に符号化されるからである。
【００５４】
本発明は、望ましくは、ＢＤ方式に適用されるが、同様に同じ種類の変調符号及びＤＣ制御を使用する他の方式にも適用され得る。
【図面の簡単な説明】
【００５５】
【図１】本発明による、記録装置のブロック図を示す。
【図２】ＥＣＣクラスターの行と行の間の関係を示し、各行は１５５バイト記号及びＢＤ規格に定められた記録フレームを有する。
【図３】１７ＰＰ変調符号変換テーブルを示す。
【図４】３０ビットフレーム同期符号を示す。
【図５】ＤＣ制御ビットの異なる設定を用いた極性制御の問題を説明する２つの例を示す。
【図６】最終ＤＣ制御ビットの２つの相反する設定を有する、フレーム同期前の全ての可能なデータビットパターンを示す。
【図７】本発明の第１の実施例を説明するフローチャートを示す。
【図８】本発明の第２の実施例を説明するフローチャートを示す。
【図９】本発明による、埋め込みユニットの実施例を示す。
【図１０】本発明による、読み出し装置を示す。
【図１】
2008517417.tif 000003
【図２】
2008517417.tif 000004
【図３】
2008517417.tif 000005
【図４】
2008517417.tif 000006
【図５】
2008517417.tif 000007
【図６】
2008517417.tif 000008
【図７】
2008517417.tif 000009
【図８】
2008517417.tif 000010
【図９】
2008517417.tif 000011
【図１０】
2008517417.tif 000012
【国際調査報告】
2008517417.tif 000013
2008517417.tif 000014